(57)【特許請求の範囲】
【請求項１】
支持部に対して直線方向に往復動作自在なスライダーと、該スライダーを復動作側に付勢する復帰バネと、前記スライダー又は支持部の何れか一方に支持させたガイドピンと、他方に該ガイドピンが摺接するピンガイドを備え、前記スライダーを復動作末端位置から往動作方向に押し込み操作することによって前記ガイドピンが前記ピンガイドに沿って移動し、該スライダーの往動作末端手前位置で、前記ガイドピンが前記ピンガイドに設置した戻り止め係止部に係合してスライダーが戻り止めされ、該戻り止め状態から前記スライダーを再度の押し込み操作することによって、前記戻り止めが解除され、押し込み操作解除によって前記復帰バネによって前記復動作末端位置に戻るようにしてなるプッシュオン・プッシュオフ機構において、
前記ピンガイドは、前記スライダーの往復動作方向に平行な仮想平面上に設置されるとともに、前記スライダーの往復動作によって前記ガイドピンの側面が当接する前記仮想平面からの立上り壁面であるピン摺接面をもって構成され、
前記ガイドピンは、横向き付勢手段によって一方向に付勢されることで少なくとも１つのピン摺接面に当接し、
前記往路ガイド部と復路ガイド部との両端間の一方側には、前記横向き付勢手段の水平横方向の付勢力に抗して一方側から他方側にガイドピンが通過した後は逆方向には戻らない逆戻り防止機構を備えることによって前記スライダーの押し込み・復帰動作によってガイドピンがピンガイドに沿って循環するようにし、
該往路ガイド部の途中の前記ピン摺接面には、前記復帰バネの付勢力に抗してガイドピンが係止されるガイドピン係合部を備えていることを特徴としてなるプッシュオン・プッシュオフ機構。
【請求項２】
前記横向き付勢手段は、前記支持部又はスライダーの何れかのガイドピン支持側に基端側を固定したバネアームをもって構成し、該バネアームの先端に直交配置にガイドピンを備えてなる請求項1に記載のプッシュオン・プッシュオフ機構。
【請求項３】
前記バネアームはつる巻きバネの一端側をもって構成している請求項２に記載のプッシュ式メモリーカードコネクタ
【請求項４】
前記往路ガイド部には、スライダーの往動作時においてガイドピンが前記ガイドピン位置よりスライダー往動作側にて当接してスライダーの往動作を阻止し、該スライダーの往動作力解除による前記復帰バネの付勢力によるスライダーの戻りによって前記ガイドピンを前記戻り止め係止部に誘導する折り返し誘導ガイド部を備えてなる請求項１〜３の何れかに記載のプッシュオン・プッシュオフ機構。
【請求項５】
前記ピンガイドは、支持部又はスライダーのピンガイド設置部の表面に形成した凹溝の内側の立ち上がり面をもって構成してなる請求項１〜４の何れかに記載のプッシュオン・プッシュオフ機構。
【請求項６】
前記逆戻り防止機構は、前記往路ガイド部と復路ガイド部との境界部分において、前記ガイド部前面のピン通過部底面に前記ガイドピンの進行方向側を低くした逆戻り防止用の段部と、前記ガイドピンを該段部位置で、その先端が該段部の高い側より低い高さに付勢する下向き付勢手段をもって構成している請求項１〜５の何れかに記載のプッシュオン・プッシュオフ機構。
【請求項７】
前記逆戻り防止機構は、前記ガイドピンの進行方向側にのみ開くフラップ弁式の扉をもって構成している請求項１〜５の何れかに記載のプッシュオン・プッシュオフ機構。
【請求項８】
ハウジング内にあってそのメモリーカード挿入空間に挿抜されるメモリーカードの挿入・排出方向に往復スライドするスライダーと、前記スライダーを前記メモリーカードの排出方向に付勢させる復帰バネと、前記スライダーを前記メモリーカードと共に押し込むことにより、その所定の押し込み位置で前記スライダーを戻り止めし、再度の押し込み動作によって戻り止めを解除するためのピンガイド及び該ピンガイドにガイドされて移動するガイドピンとからなるプッシュオン・プッシュオフ機構とを備え、前記メモリーカードの押込方向動作によって前記スライダーが押し込まれ、該スライダーの押し出し方向の動作によって前記メモリーカードが排出されるようにしてなるプッシュ式メモリーカードコネクタにおいて、前記プッシュオン・プッシュオフ機構として請求項１〜７の何れかに記載のプッシュオン・プッシュオフ機構を使用したことを特徴としてなるプッシュ式メモリーカードコネクタ。
【発明の詳細な説明】
【技術分野】
【０００１】
本発明は、主としてメモリーカードを復帰バネの弾性に抗して押し込み操作することによって所定の押し込み位置で戻り止めされ、再度の押し込み操作によって戻り止めが解除されて復帰バネにより押し戻されるようにしたプッシュ式メモリーカードコネクタに使用するプッシュオン・プッシュオフ機構（別名「モーメンタリー・オルタネイト動作機構」）及びこれを使用したプッシュ式メモリーカードコネクタに関するものである。
【背景技術】
【０００２】
プッシュ式メモリーカードコネクタにおいては、ハウジングのメモリーカード挿入空間に挿入されるカードの挿入・排出方向に往復スライドするスライダーと、前記スライダーを前記カードの排出方向に付勢させる復帰バネと、前記スライダーを前記カードと共に押し込むことにより、その所定の押し込み位置で前記スライダーを戻り止めし、再度の押し込み動作によって戻り止めを解除するためのピンガイド溝及び該ピンガイド溝内を摺動するガイドピンとからなるプッシュオン・プッシュオフ機構とを備えたものが広く使用されている。
【０００３】
従来のプッシュ式メモリーカードコネクタでは、図７及び図８に示すように、スライダー１のスライド方向の先端側にカードの先端を受けるカードストッパー部２を有し、また該スライダー１のスライド方向の先端面には該スライダー１を押し戻す復帰バネの先端を受ける復帰バネ先端受け部３を設け、該スライダー１の表面にはピンガイド溝４を設け、該スライダー１のスライド方向の一方の側面にはカードを仮止めするカードロック用爪５を設けた構造になっていた。
【０００４】
ピンガイド溝４は、ハート形をしたハートカム６の両側面に、往路ガイド溝部４Ａと復路ガイド溝部４Ｂとが設けられ、これら往路ガイド溝部４Ａと復路ガイド溝部４Ｂの両端部は相互に繋がった循環構造になっている。
【０００５】
このようなピンガイド溝４に、ガイドピン７の先端が挿入されて、往路ガイド溝部４Ａと復路ガイド溝部４Ｂに沿って循環するようになっている。ピンガイド溝４及び該ピンガイド溝４内を摺動するガイドピン７によってプッシュオン・プッシュオフ機構８が構成されている。
【０００６】
この例では、往路ガイド溝部４Ａと復路ガイド溝部４Ｂとの一方の合流部に往復共通溝部４Ｃが設けられている。ガイドピン７が、これら往路ガイド溝部４Ａと復路ガイド溝部４Ｂと往復共通溝部４Ｃに沿って循環中に逆戻りしないように、往路ガイド溝部４Ａと復路ガイド溝部４Ｂと往復共通溝部４Ｃの底面には上って行って頂上で降下する高低の段部９ａ，９ｂ，９ｃ，９ｄが４カ所に設けられている。
【０００７】
段部９ａは、往路ガイド溝部４Ａの末端側に達したガイドピン７が、往路ガイド溝部４Ａに戻らずにハートカム６の基部の窪み部６ａに行くように設けられている。段部９ｂは、段部９ａを過ぎたガイドピン７が、段部９ａ側に戻らずにハートカム６の基部の窪み部６ａに行くように設けられている。段部９ｃは、ハートカム６の基部の窪み部６ａから復路ガイド溝部４Ｂに進むガイドピン７が、ハートカム６の基部の窪み部６ａに戻らないように設けられている。段部９ｄは、ハートカム６の先端部６ｂで復路ガイド溝部４Ｂの末端から往路ガイド溝部４Ａと往復共通溝部４Ｃとに入ったガイドピン７が、復路ガイド溝部４Ｂに戻らないように設けられている。
【０００８】
往路ガイド溝部４Ａと復路ガイド溝部４Ｂと往復共通溝部４Ｃ内のガイドピン７は、最初は図５の待機時ピン停止位置ａにあり、メモリーカード挿入時の押し込み、即ちオンプッシュ動作によってオンプッシュ動作末端時ピン停止位置ｂに行き、その位置で押し込み操作力を解除することにより戻り止め係止時ピン停止位置ｃに行き、係止解除のための再度のメモリーカード押し込み動作、即ちオフプッシュ動作によって最奥部押し込み時ピン停止位置ｄに行き、その位置でスライダーの押し込み操作力を解除することにより、待機時ピン停止位置ａに戻る。これをメモリーカードの挿抜毎に繰り返すようになっている。
【０００９】
即ち、最初、ガイドピン７は往復共通溝部４Ｃの先端の待機時ピン停止位置ａ（この位置では、スライダー１は復帰バネの付勢で手前側の待機位置に存在してロックされている。）にいる。ハウジングのメモリーカード挿入空間にカードを挿入して、該カードの側面の凹部にカードロック用爪５が入り込んで該カードがスライダー１に仮止めされ、該カードがスライダー１のカードストッパー部２に当たる。かかる状態で、該カードが更に押し込まれると、ガイドピン７は往路ガイド溝部４Ａの段部９ａを経てピン停止位置ｂに至り、押し込み操作力解除によって段部９ｂを経てピン停止位置ｃに至る。この状態になると、カードとスライダー１が奥に押し込まれ、カードがコネクタに電気的に接続された所定の位置に停止している。またこの状態では、スライダー１はロックされており、また復帰バネは圧縮状態になっている。
【００１０】
所定の作業が終了してカードを戻す必要が生じたら、カードを経てスライダー１を更に押し込むと、ガイドピン７は段部９ｃを経てピン停止位置ｄに至り、その後押し込み操作力解除により復路ガイド溝部４Ｂを通り、段部９ｄを経て往路ガイド溝部４Ａ及び往復共通溝部４Ｃに入り、往復共通溝部４Ｃを通ってピン停止位置ａに戻る（例えば、特許文献１）。
【特許文献１】特開２００３−３１７８６１号公報  図４
【発明の開示】
【発明が解決しようとする課題】
【００１１】
しかしながら、最近のプッシュ式メモリーカードコネクタは小型化、薄型化されている。従来の小型化、薄型化されたプッシュ式メモリーカードコネクタでは、ピンガイド溝４及び該ピンガイド溝４内を摺動するガイドピン７とからなるプッシュオン・プッシュオフ機構８も小型化、薄型化されている。小型化、薄型化されたピンガイド溝４では、段部９ａ，９ｂ，９ｃ，９ｄの高低の段部も必然的に低くなる。従来のプッシュ式メモリーカードコネクタでは、ガイドピン７の先端がピンガイド溝４を構成する往路ガイド溝部４Ａ、復路ガイド溝部４Ｂ及び往復共通溝部４Ｃの底面に接触して摺動するので、特にピンガイド溝４の底面に高低差をもつ段部９ａ，９ｂ，９ｃ，９ｄが摩耗されて高低差が低くなり、ガイドピン７の逆戻り防止効果が失われてしまう問題点があった。さらに、小型化、薄型化されたピンガイド溝４では、その底面に高低差をつけることが難しくなり、プッシュオン・プッシュオフ機構８を組み立てることも難しくなる問題点があった。
【００１２】
本発明の目的は、ガイドピンの逆戻り防止効果が失われるのを防止でき、ピンガイド溝製作が容易で、プッシュオン・プッシュオフ機構の組立も容易にできるプッシュ式メモリーカードコネクタを提供することにある。
【課題を解決するための手段】
【００１３】
上述の如き従来の問題を解決し、所期の目的を達成するための請求項１に記載の発明の特徴は、支持部に対して直線方向に往復動作自在なスライダーと、該スライダーを復動作側に付勢する復帰バネと、前記スライダー又は支持部の何れか一方に支持させたガイドピンと、他方に該ガイドピンが摺接するピンガイドを備え、前記スライダーを復動作末端位置から往動作方向に押し込み操作することによって前記ガイドピンが前記ピンガイドに沿って移動し、該スライダーの往動作末端手前位置で、前記ガイドピンが前記ピンガイドに設置した戻り止め係止部に係合してスライダーが戻り止めされ、該戻り止め状態から前記スライダーを再度の押し込み操作することによって、前記戻り止めが解除され、押し込み操作解除によって前記復帰バネによって前記復動作末端位置に戻るようにしてなるプッシュオン・プッシュオフ機構において、
前記ピンガイドは、前記スライダーの往復動作方向に平行な仮想平面上に設置されるとともに、前記スライダーの往復動作によって前記ガイドピンの側面が当接する前記仮想平面からの立上り壁面であるピン摺接面をもって構成され、前記ガイドピンは、横向き付勢手段によって一方向に付勢されることで少なくとも１つのピン摺接面に当接し、前記往路ガイド部と復路ガイド部との両端間の一方側には、前記横向き付勢手段の水平横方向の付勢力に抗して一方側から他方側にガイドピンが通過した後は逆方向には戻らない逆戻り防止機構を備えることによって前記スライダーの押し込み・復帰動作によってガイドピンがピンガイドに沿って循環するようにし、該往路ガイド部の途中の前記ピン摺接面には、前記復帰バネの付勢力に抗してガイドピンが係止されるガイドピン係合部を備えていることにある。
【００１４】
請求項２に記載の発明の特徴は、請求項１の構成に加え、前記横向き付勢手段は、前記支持部又はスライダーの何れかのガイドピン支持側に基端側を固定したバネアームをもって構成し、該バネアームの先端に直交配置にガイドピンを備えたことにある。
【００１５】
請求項３に記載の発明の特徴は、請求項２の構成に加え、前記バネアームはつる巻きバネの一端側をもって構成していることにある。
【００１６】
請求項４請求項２に記載の発明の特徴は、請求項１〜３の何れか１の請求項の構成に加え、前記往路ガイド部には、スライダーの往動作時においてガイドピンが前記ガイドピン位置よりスライダー往動作側にて当接してスライダーの往動作を阻止し、該スライダーの往動作力解除による前記復帰バネの付勢力によるスライダーの戻りによって前記ガイドピンを前記戻り止め係止部に誘導する折り返し誘導ガイド部を備えたことにある。
【００１７】
請求項５に記載の発明の特徴は、請求項１〜４の何れか１の請求項の構成に加え、前記ピンガイドは、支持部又はスライダーのピンガイド設置部の表面に形成した凹溝の内側の立ち上がり面をもって構成したことにある。
【００１８】
請求項６に記載の発明の特徴は、請求項１〜５の何れか１の請求項の構成に加え、前記逆戻り防止機構は、前記往路ガイド部と復路ガイド部との境界部分において、前記ガイド部前面のピン通過部底面に前記ガイドピンの進行方向側を低くした逆戻り防止用の段部と、前記ガイドピンを該段部位置で、その先端が該段部の高い側より低い高さに付勢する下向き付勢手段をもって構成していることにある。
【００１９】
請求項７に記載の発明の特徴は、請求項１〜５の何れか１の請求項の構成に加え、前記逆戻り防止機構は、前記ガイドピンの進行方向側にのみ開くフラップ弁式の扉をもって構成していることにある。
【００２０】
請求項８に記載の発明の特徴は、ハウジング内にあってそのメモリーカード挿入空間に挿抜されるメモリーカードの挿入・排出方向に往復スライドするスライダーと、前記スライダーを前記メモリーカードの排出方向に付勢させる復帰バネと、前記スライダーを前記メモリーカードと共に押し込むことにより、その所定の押し込み位置で前記スライダーを戻り止めし、再度の押し込み動作によって戻り止めを解除するためのピンガイド及び該ピンガイドにガイドされて移動するガイドピンとからなるプッシュオン・プッシュオフ機構とを備え、前記メモリーカードの押込方向動作によって前記スライダーが押し込まれ、該スライダーの押し出し方向の動作によって前記メモリーカードが排出されるようにしてなるプッシュ式メモリーカードコネクタにおいて、前記プッシュオン・プッシュオフ機構として請求項１〜７の何れかに記載のプッシュオン・プッシュオフ機構を使用したことにある。
【発明の効果】
【００２１】
本発明に係るプッシュオン・プッシュオフ機構及びこれを使用したプッシュ式メモリーカードコネクタでは、ピンガイドを、スライダーの往復動作方向に平行な仮想平面上に設置し、ガイドピンは、横向き付勢手段によって一方向に付勢されることで少なくとも１つのピン摺接面に当接し、前記ピンガイドは、前記スライダーの往復動作によって前記ガイドピンの側面が当接する前記仮想平面からの立上り壁面であるピン摺接面をもって構成し、往路ガイド部とガイド部との両端間の一方側には、前記横向き付勢手段の水平横方向の付勢力に抗して一方側から他方側にガイドピンが通過した後は逆方向には戻らない逆戻り防止機構を備えることによって前記スライダーの押し込み・復帰動作によってガイドピンがピンガイドに沿って循環するようにし、該往路ガイド部の途中の前記ピン摺接面には、前記復帰バネの付勢力に抗してガイドピンが係止されるガイドピン係合部を備えたことにより、ガイドピンの先端面ではなく側面がピンガイドのピン摺接面に接して移動することとなり、ガイドピンの先端で摩擦接触されることをなくするか、少ないものとすることができ、このためプッシュオン・プッシュオフ機構の長寿命化を図ることができる。また、プッシュオン・プッシュオフ機構が小型化、薄型化されても、ピンガイドの製作が容易になり、プッシュオン・プッシュオフ機構の組立も容易に行うことができる。
また、前記横向き付勢手段は、前記支持部又はスライダーの何れかのガイドピン支持側に基端側を固定したバネアームをもって構成することにより、ガイドピンの一方向側へ付勢する為の構造が簡単なものとなる。更に、このバネアームはつる巻きバネの一端側をもって構成することにより、全体が小型化された場合においても従来のハートカム機構に比べてガイドピン構成部材の形状が大きくなり、組み立てが容易となる。
【００２２】
更に、本発明において、前記往路ガイド部には、スライダーの往動作時においてガイドピンが前記ガイドピン位置よりスライダー往動作側にて当接してスライダーの往動作を阻止し、該スライダーの往動作力解除による前記復帰バネの付勢力によるスライダーの戻りによって前記ガイドピンを前記戻り止め係止部に誘導する折り返し誘導ガイド部を備えることにより、スライダーを所定の押し込み位置で停止させる為の操作が、一回の押し込み操作時に押し込み不能位置まで押し込む操作を行うのみで行われ、操作性の良いものとなる。
【００２３】
更に、本発明では、前記ピンガイドを、支持部又はスライダーのピンガイド設置部の表面に形成した凹溝の内側の立ち上がり面をもって構成することにより、ピンガイドの構造が簡略化される。
更に、本発明では、前記逆戻り防止機構は、前記往路ガイド部と復路ガイド部との境界部分において、前記ガイド部前面のピン通過部底面に前記ガイドピンの進行方向側を低くした逆戻り防止用の段部と、前記ガイドピンを該段部位置で、その先端が該段部の高い側より低い高さに付勢する下向き付勢手段をもって構成することにより、また、該逆戻り防止機構は、前記ガイドピンの進行方向側にのみ開くフラップ弁式の扉をもって構成する事により、簡単な構造で構成することができる。
【発明を実施するための最良の形態】
【００２４】
以下、本発明に係るプッシュオン・プッシュオフ機構及びプッシュ式メモリーカードコネクタを実施するための最良の形態を、図示の実施例を参照して詳細に説明する。
【００２５】
図１乃至図３は本発明に係るプッシュオン・プッシュオフ機構を使用したプッシュ式メモリーカードコネクタの一実施例を示したものである。
本例のプッシュ式メモリーカードコネクタでは、スライダーを支持するための支持部であるハウジング１０と、該ハウジング１０のカード挿入空間１１に挿入されるカード１２と、ハウジング１０内で挿入・排出方向に往復スライドするスライダー１３と、スライダー１３をカード１２の排出方向に付勢させる復帰バネ１４と、スライダー１３をカード１２と共に押し込むことにより、その所定の押し込み位置でスライダー１３を戻り止めし、再度の押し込み動作によって戻り止めを解除するためのピンガイド及びガイドピン１６とからなるプッシュオン・プッシュオフ機構とを備えている。
【００２６】
ハウジング１０は、合成樹脂材によってモールド成型されたハウジング本体１０Ａとその上面に嵌め合わせた金属材料によりプレス成型されたシールドカバー１０Ｂとから構成されている。
【００２７】
プッシュオン・プッシュオフ機構を構成するピンガイド１５は、スライダー１３の往復動作方向に平行な仮想平面の一つであるハウジング本体１０Ａの底面１０ａに上向きに設置され、スライダー１３の押し込み方向側動作時にガイドピン１６が摺動される往路ガイド部１５Ａと、スライダー１３の排出方向側動作時にガイドピン１６が摺動される復路ガイド部１５Ｂとから構成されている。
【００２８】
ガイドピン１６は、つる巻きバネ１８の一端側のバネアーム１８ａの自由端側を折り曲げ形成した状態でこれと一体に成型されている。このつる巻きバネ１８は他端側のバネアーム１８ｂが、スライダー１３にそのスライド方向に向けて固定されている。ガイドピン１６は、ハウジング本体の底面１０ａに対して鉛直な方向に向けられている。
【００２９】
また、バネアーム１８ａは横向き付勢手段を構成しており、ハウジング本体の底面１０ａと平行な面に沿ってスライダー１３の往復動作方向と交差する一方向、本例においては図１において反時計回り方向側にガイドピン１６を付勢している。図中矢印Ｆは付勢方向を示している。
【００３０】
ピンガイドを構成する往路ガイド部１５Ａと復路ガイド部１５Ｂとはスライダー１３の往復動作方向と略平行に配置されている。復路ガイド部１５Ｂがハウジング中央側、往路ガイド部１５Ａがそれよりハウジング縁部側に設置され、ガイドピン１6はバネアーム１８ａによって復路ガイド部１５Ｂから往路ガイド部１５Ａ側に向けてこれらを横切る方向に付勢されている。
【００３１】
往路ガイド部１５Ａ及び復路ガイド部１５Ｂは、バネアーム１８ａの付勢力によってガイドピン１６が圧接する方向側の立上り壁面（側壁）がピン摺接面を構成している。
【００３２】
往路ガイド部１５Ａは、ハウジング本体１０Ａの側壁部の内側に形成されており、この往路ガイド部１５Ａは、スライダー１３が復帰バネ１４の付勢力によって最も押し出された状態にある待機位置においてガイドピン１６が位置している往路ガイド部１５Ａの始端側の待機時ピン停止位置ａからスライダー１３が最も押し込まれた状態にある時の最押し込み位置にあるときの最奥部押し込み時ピン停止位置ｄのやや手前までとなっている。
【００３３】
往路ガイド部１５Ａの途中には復帰バネ１３の付勢力に抗してガイドピン１６が係止されるガイドピン係合部１９が形成されている。待機時ピン停止位置ａからガイドピン係合部１９に至る部分がオンプッシュガイド部１５Ａａとなっており、ガイドピン係合部１９は、このオンプッシュガイド部１５Ａａの奥側端部からスライダー往復動作方向と直行する向きの段状部分を凹ませた形状に形成されており、ガイドピン１６は、スライダー１３とともに押し込まれてオンプッシュガイド部１５Ａａ奥側端部まで押し込まれると、バネアーム１８ａの付勢力によってガイドピン係合部１９側に移動され、スライダー１３の押し込み動作力を解除することによってピン係合部１９内の戻り止め係止時ピン停止位置ｃに移動され、これによってスライダー１３が戻り止めされ、スライダーが所定の押し込み位置で停止されるようになっている。
【００３４】
尚、本例ではオンプッシュガイド部１５Ａａの奥側延長方向側に、ガイドピン１６の太さより大きい間隔を隔てて衝立壁２１が備えられ、ガイドピン１６が往動作時にこれに衝突してガイドピン係合部１９側に誘導されるようになっている。
【００３５】
ガイドピン係合部１９の奥側には、前述したスライダー１６の押し込み停止状態から戻り動作に移行させるための復路側誘導部１５Ａｂが形成されている。この復路側誘導部１５Ａｂは、復路ガイド部１５Ｂ側に向けて近づく方向に傾斜させて形成されており、その最奥端部と復路ガイド部１５Ｂとの間に、横向き付勢手段であるバネアーム１８ａの水平横方向の付勢力に抗して一方側から他方側、即ち往路ガイド部１５Ａ側には戻らない逆戻り防止機構４０を備えられ、この逆戻り防止機構４０位置を通過した復路ガイド部１５Ｂの最奥位置が最奥部押し込み時ピン停止位置ｄとなっている。
【００３６】
復路ガイド部１５Ｂは、そのスライダー戻り方向側の端部が、前述した待機時ピン停止位置ａよりやや奥側までの長さとなっており、このためスライダー１３が最も押し出された待機位置に達すると、ガイドピン１６は復路ガイド部１５Ｂから外れ、バネアーム１８ａの水平横方向の付勢力によって往路ガイド部１５ａ側に移動されるようになっている。これらによってガイドピン１６がスライダー１３の往復動作によって往路ガイド部１５Ａと復路ガイド部１５Ｂとに摺接しつつ循環されるようになっている。
【００３７】
この逆戻り防止機構４０は、図３に示すように、前記往路ガイド部１５Ａと復路ガイド部１５Ｂとの境界部分において、ガイドピン１６の先端面が向き合うピン通過部底面４２の復路ガイド部１５Ｂ側を低くした逆戻り防止用の段部４１と、ガイドピン１６を段部４１位置で、その先端が該段部の高い側より低い高さに付勢する下向き付勢手段をもって構成している。この付勢手段は、本例ではシールドカバー１０Ｂに切り抜き形成された押し下げ用のバネ部４３をもって構成させ、これによってガイドピン１６の先端を、逆戻り防止用の段部４１を構成している復路側誘導部１５Ａｂのピン通過部底面４２より低い位置に押し下げている。
【００３８】
これによって、ガイドピン１６が段部４１を乗り越えると、復路側誘導部１５Ａｂから復路ガイド部１５Ｂに誘導されたガイドピン１６の先端部側面が、段部４１を構成しているにおける復路ガイド部１５Ｂ側に向いた立上り面４１ａ（図３に示す）に当接し往路ガイド部１５Ａ側への逆戻りが阻止されるようにしている。
【００３９】
スライダー１３は、そのスライド方向に向いたスライド基体２４を有し、該スライド基体２４は、そのスライド方向と平行な両側部に、相互に平行な一方の平行ガイド面２４ａと他方の平行ガイド面２４ｂとをもっている。
【００４０】
また、スライド基体２４には、そのスライド方向の先端側の一方の平行ガイド面２４ａ側に突設されてカード１２の先端を受けるカードストッパー部２５と、スライド基体２４のスライド方向の先端側の他方の平行ガイド面２４ｂ側に突設されてつる巻きバネ１８の巻き芯部１８ｃを保持すると共に復帰バネ１４の先端を受ける復帰バネ受け部２６ｂを備えたホルダー部２６と、スライド基体２４に設けられてつる巻きバネ１８の他端側のバネアーム１８ｂをスライダー１３のスライド方向に向けて固定する他端側バネアーム固定部２７とが備えられている。
つる巻きバネ１８の巻き芯部１８ｃは、ホルダー部２６の突起からなる芯部支持部２６ａに嵌められて支持されている。他端側バネアーム固定部２７は、スライド基体２４の表面にスライド方向に設けられた溝部２７ａと、これら溝部２７ａの両側壁に互い違いに突設された支持突起２７ｂとで形成され、つる巻きバネ１８の他端側のバネアーム１８ｂはこの溝部２７ａに挿入されて、互い違いの支持突起２７ｂにより側面が交互に押されて固定されている。
【００４１】
つる巻きバネ１８は、その巻き芯部１８ｃがホルダー部２６の芯部支持部２６ａに嵌められて保持され、その一端側のバネアーム１８ａに設けられているガイドピン１６の先端側がハウジング本体１０Ａのピンガイド１５に挿入されてガイドピン１６の先端側の側面がピンガイドのピンガイド立ち上がり摺動面に一端側のバネアーム１８ａの付勢力で圧接されている。
【００４２】
ハウジング本体１０Ａには、カード１２を挿入するカード挿入空間１１、スライダー１３のスライド基体２４の一方の平行ガイド面２４ａ及び他方の平行ガイド面２４ｂとを、それぞれガイドする一方の平行ガイド部２８と他方の平行ガイド部２９、待機状態で復帰バネ１４の付勢によりスライド基体２４の基端側端部を当接させる基端ストッパー部３０、復帰バネ１４の基端を受ける復帰バネ受け部３２が設けられている。
【００４３】
次に、このようなプッシュ式メモリーカードコネクタでの、プッシュオン・プッシュオフ機構を構成するピンガイドにおけるガイドピン１６の動作を、図１及び図４を参照して、カードやスライダーの動作と共に説明する。
【００４４】
ハウジングのカード挿入空間１１にカード１２が挿入されていない初期状態では、図１に示すようにスライダー１３は復帰バネ１４によって最も押し出された状態である待機位置にあり、この時ガイドピン１６は往路ガイド部１５Ａのオンプッシュガイド部１５Ａａの基端部の待機時ピン停止位置ａにあり、バネアーム１８ａの付勢力によって該ガイド部１５Ａａに押し当てられた状態となっている。
【００４５】
この状態から、カード挿入空間１１にカード１２を挿入して押し込むと、これとともにスライダー１３が押し込み方向に移動される。この時ガイドピン１６はオンプッシュガイド部１５Ａａに摺接しつつ移動し、その先端部まで移動するとバネアーム１８ａの付勢力によってガイドピン係合部１９の奥側に移動される。
【００４６】
この状態でカード１２によるスライダー１３の押し込み力を解除すると、復帰バネ１４によってスライダー１３とともにガイドピン１６が戻り方向に押されるが、ガイドピン１６がガイドピン係合部１９に係合される戻り止め係止時ピン停止位置ｃに入り、戻りが阻止され、これによってスライダー１３は所定の押し込み位置で停止される。この時、カード１２はカード挿入空間１１内に押し込まれ、図示してないが、その端子がハウジング１０内に備えられた接触バネに電気接続された状態となる。
【００４７】
このように挿入されたカード１２の取り出に際しては、挿入されているカード１２を再度押し込む操作、即ちオフプッシュ操作によりガイドピン１６は、復帰路側誘導部１５Ａｂに摺接して逆戻り防止機構４０に至り、これを通過して復路ガイド部１５Ｂに入り、最奥部押し込み時ピン停止位置ｄで停止する。
【００４８】
然る後カード１２に対する押し込み力を解除することにより復帰バネ１４によってスライダー１３が押し出し方向に動作され、ガイドピン１６は戻り防止機構４０によって往路ガイド部１５Ａには戻らず、復路ガイド部１５Ｂに摺接して移動し、スライダー１３は戻り動作が阻止されること無く待機位置に戻り、これとともにカード１２が押し出される。この待機位置に戻る途中において復路ガイド部１５Ｂが途切れるため、ガイドピン１６はバネアーム１８ａの付勢力によって往路ガイド部１５Ａに移動し、待機時ピン停止位置ａで停止し、初期状態に戻る。
【００４９】
上記実施例における逆戻り防止機構では、往路ガイド部１５Ａ側に傾斜面を設けたが、本発明はこれに限定されるものではなく、復路ガイド部１５Ｂの底面を復路側誘導部１５Ａｂの底面より低くすることによって逆戻り防止用の段部４１を形成してもよい。このようにすると、 復路ガイド部１５Ｂの長さはある程度長く、その底面を徐々に高くして平面に戻す構造にすれば、溝の底面の傾斜が急なものよりもガイドピン１６の先端で削られるのを防止することができる。更に、底面とガイドピン１６の先端が摺接するので、カードの飛び出しが防止される。
更に、押し下げ用バネ４２によって下向きに付勢して復路ガイド部１５Ｂ側にガイドピン１６を落とし込むようにしているが、この他、ガイドピン１６が逆戻り防止用の段部４１の手前の傾斜によって弾性的に持ち上げられた後に段部４１を通過することにより復路ガイド溝１５Ｂに落ち込むように付勢されるものであれば良く、前記押し下げ用のバネ部１０ｂの代わりにガイドピン１６のバネアームの弾性を利用してもよい。この場合、ガイドピン１６がフリーな状態でその先端を復路ガイド溝１５Ｂの底部に接触しない位置に弾性的に保持されるようにすることもできる。
【００５０】
また、逆戻り防止機構４０は、上述した段部４１と押し下げ用バネ部４２を使用した構造の他、図５に示すように往路ガイド部１５Ａの先端の復路ガイド部１５Ｂに繋がる位置に、逆止め扉４５を設置した構造であっても良い。この逆止め扉４５は、板バネをもって構成されたフラップ式の逆止め弁状をなしている。即ち、往路ガイド部１５Ａの復路ガイド部１５Ｂへの開口部のガイドピン押込方向側とは反対側の縁部に逆止め扉４５の一端が埋設されて固定され、該逆止め扉４５の他端側が、前記開口部のガイドピン押込方向側の縁部に、復路ガイド溝１５Ｂ側から窪ませた形状の段部に当接された構造となっている。
【００５１】
そして、ガイドピン１６が往路ガイド溝１５Ａ側から復路ガイド部１５Ｂに行く際には、ガイドピン１６が逆止め扉４５を押すことによって該扉が開かれてガイドピン１６は復路ガイド溝１５Ｂ内へ移動し、逆止め扉４５位置を通過することによって、板バネの弾性によって逆止め扉４５が閉じられ、ガイドピン１６が往路ガイド溝１５Ａ内に戻りが阻止されるようになっている。
更に、逆戻り防止機構４０は、前記フラップ式の逆止め弁状をした逆止め扉の代わりに、図６に示すように、逆転不能な一方向回転扉４７を使用したものであってもよく、この場合には、回転扉４７をガイドピン１６が往路ガイド部１５Ａの先端部から復路ガイド部１５Ｂ側への通過が可能な方向にのみ回転可能に設置しておくことにより、一旦復路ガイド部１５Ｂ側に移動したガイドピン１６が、一方向回転扉４７によって往路ガイド部１５Ａ内に戻りが阻止されるようになっている。
更に、上述の実施例では、往路ガイド部１５Ａの往路側誘導部１５Ａｂを復路ガイド部１５Ｂ側に向けて傾斜させているが、図７に示すように、復路ガイド部１５Ｂの一部に傾斜部１５Ｂａを設け、これに往路ガイド部１５Ａの復路側誘導部１５Ａｂの先端が逆戻り防止機構４０を介して連続させるようにしても良い。
【００５２】
更に、上記実施例では、横向きの平らな衝立壁２１を使用しているが、この代わりに、図７に示すように、ガイドピン１６をガイドピン係合部１９内に導入する半円形状の折り返し誘導ガイド部２１ａを備え、この半円形状の開放部内にオンブッシュガイド部５１Ａａ先端が挿入された状態となし、ガイドピン係合部１９を半円形状に形成してもよい。
【００５３】
このようにする事により、ガイドピン１６は待機時ピン停止位置ａからガイドピン係合部１９に係合された戻り止め係止時ピン停止位置ｃに至る前に折り返し誘導ガイド部２１ａの半円形状の最奥部のオンプッシュ動作末端ピン停止位置ｂに至り、押し込み動作が阻止される。
【００５４】
これによって操作者は、所定の押し込み動作の完了を認識する事ができ、その後押し込み操作力を解除することにより、復帰バネに１４によってスライダー１３が戻される事によりガイドピン１６は折り返し誘導ガイド部２１ａに沿って移動しガイドピン係合部１９に係合される。
【００５５】
更に、上記実施例では、ピンガイドを平板状面から立ち上げた形状に成型した場合を示しているが、図８に示すように平板状面に凹溝を形成する事によって形成しても良い。尚、図８において前記実施例と同一機能をなす部分には同一符号を付して重複説明を省略する。
【００５６】
更に、上記各実施例は、ピンガイドをハウジング１０側に、ガイドピン１６をスライダー１３側に設けた場合を示しているが、図９に示すように上述とは逆に、ピンガイドをスライダー１３側に、ガイドピン１６をハウジング１０側に設けてもよい。この場合、ピンガイドは、前述とは前後に逆の配置となる。図９においても前記実施例と同一機能をなす部分には同一符号を付して重複説明を省略する。
【００５７】
更に、図には示してないが、ガイドピン１６のバネアーム１８ａによる付勢方向が、前述の例とは逆の時計回り方向であってもよく、この場合にはピンガイドの配置が左右に逆の配置となる。
【００５８】
更に、ピンガイドは、上述の例では何れも、スライダー１３が最も押し込まれた状態の時の最奥部押し込み時ピン停止位置ｄのやや手前位置でガイドピン１６が往路ガイド部側に戻らない逆戻り防止機構４０を設けているが、本発明ではこれに限らず、図１０に示すように、バネアーム１８ａによるガイドピン付勢方向を前述とは逆の図１０において時計回り方向とし、スライダー１３が押し込み動作位置から待機位置に戻るやや手前、即ちガイドピン１６が復路ガイド部１５Ｂを戻り方向に移動し、往路ガイド部１５Ａの待機時ピン停止位置ａに至る手前位置に逆戻り防止機構４０を設け、次のスライダー押し込み動作時には復路ガイド部１５Ｂに戻る事なく、往路ガイド部１５Ａを折り返し誘導ガイド部２１ａの最奥部のオンプッシュ動作末端停止位置ｂまで押し込まれるようにした構造であっても良い。
尚、図１０において前述の実施例と同機能部分には同一符号を付して説明を省略する。
【図面の簡単な説明】
【００５９】
【図１】本発明に係るプッシュオン・プッシュオフ機構を使用したプッシュ式メモリーカードコネクタの一実施例でハウジングの天板を外して内部構造を開示した状態の平面図である。
【図２】図１に示す本実施例で用いているスライダー及びハウジングを示す分解斜視図である。
【図３】図１に示す実施例における逆戻り防止機構部分の拡大断面図である。
【図４】図１に示す実施例のハウジングに設けられたピンガイドに沿って摺動するガイドピンの動作過程を示す平面図である。
【図５】本発明に係るプッシュオン・プッシュオフ機構における逆戻り防止機構の他の例を示す部分平面図である。
【図６】本発明に係るプッシュオン・プッシュオフ機構における逆戻り防止機構の更に他の例を示す部分平面図である。
【図７】本発明に係るプッシュオン・プッシュオフ機構における逆戻り防止機構の更に他の例を示す部分平面図である。
【図８】本発明に係るプッシュオン・プッシュオフ機構における逆戻り防止機構の更に他の例を示す部分平面図である。
【図９】本発明に係るプッシュオン・プッシュオフ機構における逆戻り防止機構の更に他の例を示す部分平面図である。
【図１０】本発明に係るプッシュオン・プッシュオフ機構における逆戻り防止機構の更に他の例を示す部分平面図である。
【図１１】従来のプッシュ式メモリーカードコネクタのハウジングの天板を外して内部構造を開示した状態の平面図である。
【図１２】従来のプッシュ式メモリーカードコネクタで用いているスライダーのハートカムを中心としたピンガイドの要部拡大図である。
【符号の説明】
【００６０】
１０  ハウジング
１０Ａ  ハウジング本体
１０Ｂ  シールドカバー
１０ａ  底面
１１  カード挿入空間
１２  カード
１３  スライダー
１４  復帰バネ
１５  ピンガイド
１５Ａ  往路ガイド部
１５Ａａ  オンプッシュガイド部
１５Ａｂ  復路側誘導部
１５Ｂ  復路ガイド部
１５Ｂａ  傾斜部
１６  ガイドピン
１８  つる巻きバネ
１８ａ  一端側のバネアーム
１８ｂ  他端側のバネアーム
１８ｃ  巻き芯部
１９  ガイドピン係合部
２１  衝立壁
２１ａ  折り返し誘導ガイド部
２４  スライド基体
２４ａ  一方の平行ガイド面
２４ｂ  他方の平行ガイド面
２５  カードストッパー部
２５ａ  補強板部
２６  ホルダー部
２６ａ  芯部支持部
２６ｂ  復帰バネ受け部
２７  他端側バネアーム固定部
２７ａ  溝部
２７ｂ  支持突起
２８  一方の平行ガイド部
２９  他方の平行ガイド部
２９ａ  他方の平行ガイド部の基端側端部
３０  基端ストッパー部
３２  復帰バネ受け部
４０  逆戻り防止機構
４１  逆戻り防止用の段部
４２  ピン通過部底面
４３  押し下げ用のバネ部
４５  逆止め扉
４７  一方向回転扉
ａ  待機時ピン停止位置
ｂ  オンプッシュ動作末端時ピン停止位置
ｃ  戻り止め係止時ピン停止位置
ｄ  最奥部押し込み時ピン停止位置
【図１】
0004992157.tif 000002
【図２】
0004992157.tif 000003
【図３】
0004992157.tif 000004
【図４】
0004992157.tif 000005
【図５】
0004992157.tif 000006
【図６】
0004992157.tif 000007
【図７】
0004992157.tif 000008
【図８】
0004992157.tif 000009
【図９】
0004992157.tif 000010
【図１０】
0004992157.tif 000011
【図１１】
0004992157.tif 000012
【図１２】
0004992157.tif 000013